(57)【特許請求の範囲】
【請求項１】
サーフェスローラから送り出される織布を、トルク制御された織布巻取モータにより駆動されるクロスローラに巻き取る織機の織布巻取制御方法において、
前記織布巻取モータを増加方向又は減少方向に漸次変更するように予め設定された変更指令トルクにより駆動し、前記変更指令トルクの変更過程における前記織布巻取モータの回転数変化を検出し、前記織布巻取モータの回転数変動領域と回転数安定領域との間の境界領域での前記変更指令トルクに基づいて負荷トルクを算出し、織布張力及び織布巻径に基づき算出される巻取トルクに前記負荷トルクを加えて巻取制御トルクとし、前記巻取制御トルクにより前記織布巻取モータを駆動することを特徴とする織機の織布巻取制御方法。
【請求項２】
前記変更指令トルクは、増加方向に漸次変更する漸増指令トルクで設定され、停止状態にある前記織布巻取モータを漸次増加する前記漸増指令トルクにより駆動し、前記回転数変動領域から前記回転数安定領域へ移行する時の前記境界領域での前記漸増指令トルクに基づき負荷トルクを算出することを特徴とする請求項１に記載の織機の織布巻取制御方法。
【請求項３】
前記変更指令トルクは、減少方向に漸次変更する漸減指令トルクで設定され、織布の巻き取り状態にある前記織布巻取モータを漸次減少する前記漸減指令トルクにより駆動し、前記回転数安定領域から前記回転数変動領域へ移行する時の前記境界領域での前記漸減指令トルクに基づいて前記負荷トルクを算出することを特徴とする請求項１に記載の織機の織布巻取制御方法。
【請求項４】
前記負荷トルクの算出は、停止状態にある前記織布巻取モータを逆転した後に行うことを特徴とする請求項２に記載の織機の織布巻取制御方法。
【請求項５】
前記負荷トルクの算出は、織機の運転開始時に行うことを特徴とする請求項１又は請求項２に記載の織機の織布巻取制御方法。
【請求項６】
サーフェスローラから送り出される織布を、制御装置によりトルク制御される織布巻取モータによりクロスローラに巻き取る織機の織布巻取制御装置において、
前記織布巻取モータの回転数を検出する回転数検出器を備え、前記制御装置は、増加方向又は減少方向に漸次変更するように予め設定された変更指令トルクを記憶し、前記織布巻取モータに発信する変更指令トルク発信部と、前記織布巻取モータの回転数変動領域と回転数安定領域との間の境界領域での前記変更指令トルクに基づいて負荷トルクを算出する負荷トルク算出部と、織布張力及び織布巻径に基づき巻取トルクを算出する巻取トルク算出部と、前記巻取トルクに前記負荷トルクを加えて巻取制御トルクを算出し、前記巻取制御トルクを前記織布巻取モータに指令する巻取制御トルク指令部と、を備えたことを特徴とする織機の織布巻取制御装置。
【発明の詳細な説明】
【技術分野】
【０００１】
本願発明は、織機の織布巻取制御方法及び装置に関する。
【背景技術】
【０００２】
織機の織布巻取装置では、サーフェスローラから送り出された織布を巻き取るクロスローラを、トルク制御される専用モータにより駆動する構成が知られている。専用モータを制御する巻取制御トルクは、通常、織布張力及び織布巻径に基づいて算出され、制御装置から専用モータに指令される。
【０００３】
特許文献１には、織布巻取装置における織布巻取制御装置が開示されている。特許文献１の技術は、クロスローラを駆動する専用モータ及び専用モータとクロスローラを連結する減速ギヤ系全体を可動状態に保持し、専用モータ及び減速ギヤ系の受ける力を検出するロードセルを設けた構成である。制御装置は、ロードセルが検出した力に基づいて、クロスローラに巻き取られる織布の巻取トルクに一致する反巻取トルクを算出し、反巻取トルクに基づいて織布の巻取張力を算出し、織布の巻取張力に基づき専用モータの制御を行う。
【先行技術文献】
【特許文献】
【０００４】
【特許文献１】特開２０１２−１８２５号公報
【発明の概要】
【発明が解決しようとする課題】
【０００５】
特許文献１の技術では、反巻取トルクを検出するために、ロードセルを必要とし、さらに、専用モータ及び減速ギヤ系全体を可動の状態に保持する構成にしなければならず、織布巻取装置の機構が複雑で、大掛かりなものとなる。
【０００６】
本願発明は、織布の巻取制御を簡単に、高精度で行うことを目的とする。
【課題を解決するための手段】
【０００７】
請求項１は、サーフェスローラから送り出される織布を、トルク制御された織布巻取モータにより駆動されるクロスローラに巻き取る織機の織布巻取制御方法において、前記織布巻取モータを増加方向又は減少方向に漸次変更するように予め設定された変更指令トルクにより駆動し、前記変更指令トルクの変更過程における前記織布巻取モータの回転数変化を検出し、前記織布巻取モータの回転数変動領域と回転数安定領域との間の境界領域での前記変更指令トルクに基づいて負荷トルクを算出し、織布張力及び織布巻径に基づき算出される巻取トルクに前記負荷トルクを加えて巻取制御トルクとし、前記巻取制御トルクにより前記織布巻取モータを駆動することを特徴とする。なお、本願発明における漸次変更する変更指令トルクとは、トルクの指令値が段階的に又は連続的に増加又は減少するように設定された指令トルクを指すものである。
【０００８】
クロスローラの駆動では、織布張力に対抗して織布を巻き取るための巻取トルクに加えて、クロスローラの慣性モーメントやクロスローラの軸受に生じる摺動抵抗等による負荷トルクが発生する。また、織布の皺取りのために、タッチローラあるいはニップローラ等の皺取りローラを使用する場合、皺取りローラの摩擦抵抗が大きな負荷トルクとなる。請求項１によれば、負荷トルクは、織布巻取モータの回転数変化を検出し、回転数変動領域と回転数安定領域との間の境界領域での変更指令トルクに基づき、ロードセルを設けなくても簡単に検出することができる。このため、織布巻取モータのトルク制御を、負荷トルクを加味した巻取制御トルクにより行うことができ、織布の巻取張力を高精度に制御することができる。
【０００９】
請求項２は、前記変更指令トルクは、増加方向に漸次変更する漸増指令トルクで設定され、停止状態にある前記織布巻取モータを漸次増加する前記漸増指令トルクにより駆動し、前記回転数変動領域から前記回転数安定領域へ移行する時の前記境界領域での前記漸増指令トルクに基づき負荷トルクを算出することを特徴とする。請求項２によれば、増加方向に漸次変更する漸増指令トルクにより織布巻取モータを駆動し、織布巻取モータの回転数を検出することにより、回転数変動領域から回転数安定領域へ移行する時の境界領域での漸増指令トルクを負荷トルクとして算出することができる。このため、負荷トルクを簡単に算出でき、織布張力を精度良く制御することができる。
【００１０】
請求項３は、前記変更指令トルクは、減少方向に漸次変更する漸減指令トルクで設定され、織布の巻き取り状態にある前記織布巻取モータを漸次減少する前記漸減指令トルクにより駆動し、前記回転数安定領域から前記回転数変動領域へ移行する時の前記境界領域での前記漸減指令トルクに基づいて前記負荷トルクを算出することを特徴とする。請求項３によれば、織機の運転中、負荷トルクが増加方向あるいは減少方向に変化する可能性があるが、織機の運転開始から運転の終了までの間に、織布巻取モータを止めること無く、定期的にあるいはランダムに負荷トルクの算出が可能となる。このため、織機の運転中、常に負荷トルクを認識することができ、最適な巻取制御トルクにより織布の巻き取りを行うことができる。
【００１１】
請求項４は、前記負荷トルクの算出は、停止状態にある前記織布巻取モータを逆転した後に行うことを特徴とする。請求項４によれば、織布巻取モータの逆転により織布張力を必ず零の状態にしてから負荷トルクの検出を行うことができる。このため、織布張力の状態を考慮すること無く、負荷トルクを正確に検出することができる。
【００１２】
請求項５は、前記負荷トルクの算出は、織機の運転開始時に行うことを特徴とする。請求項５によれば、クロスローラを新しく設置した時点で負荷トルクを算出し、以後の織布巻取において、負荷トルクを加味した巻取制御トルクにより織布巻取モータのトルク制御を行うことができる。
【００１４】
請求項６は、サーフェスローラから送り出される織布を、制御装置によりトルク制御される織布巻取モータによりクロスローラに巻き取る織機の織布巻取制御装置において、前記織布巻取モータの回転数を検出する回転数検出器を備え、前記制御装置は、増加方向又は減少方向に漸次変更するように予め設定された変更指令トルクを記憶し、前記織布巻取モータに発信する変更指令トルク発信部と、前記織布巻取モータの回転数変動領域と回転数安定領域との間の境界領域での前記変更指令トルクに基づいて負荷トルクを算出する負荷トルク算出部と、織布張力及び織布巻径に基づき巻取トルクを算出する巻取トルク算出部と、前記巻取トルクに前記負荷トルクを加えて巻取制御トルクを算出し、前記巻取制御トルクを前記織布巻取モータに指令する巻取制御トルク指令部と、を備えたことを特徴とする。
【００１５】
請求項６によれば、織布巻取モータの回転数変動領域と回転数安定領域との間の境界領域での変更指令トルクに基づき簡単に負荷トルクを算出することができる。このため、織布巻取モータのトルク制御を、負荷トルクを加味した巻取制御トルクにより行い、織布張力を高精度に制御することができる。
【発明の効果】
【００１６】
本願発明は、織布の巻取制御を簡単に、高精度で行うことができる。
【図面の簡単な説明】
【００１７】
【図１】第１の実施形態における織布巻取装置の概略側面図である。
【図２】漸増する指令トルクとモータ回転数の関係を示す線図である。
【図３】第２の実施形態における漸増する指令トルクとモータ回転数の関係を示す線図である。
【図４】第３の実施形態における漸減する指令トルクとモータ回転数の関係を示す線図である。
【図５】第３の実施形態において、負荷トルクが減少する例を示す線図である。
【図６】第３の実施形態において、負荷トルクが増加する例を示す線図である。
【図７】漸増する指令トルクの他の例を示す線図である。
【図８】漸増する指令トルクのその他の例を示す線図である。
【図９】漸減する指令トルクの他の例を示す線図である。
【図１０】漸減する指令トルクのその他の例を示す線図である。
【発明を実施するための形態】
【００１８】
（第１の実施形態）
第１の実施形態を図１及び図２に基づいて説明する。図１に示した織布巻取装置において、織機のフレーム１に回転可能に配設されたサーフェスローラ２は、織機を製織運転する駆動モータ（図示せず）から独立した専用の織布引取モータ３に連結されている。織布引取モータ３には、サーボモータが使用されている。織布引取モータ３は、制御装置４と信号線５により電気的に接続され、織機の製織運転中、主駆動モータと同期して回転されるが、主駆動モータから独立した正逆転も可能である。
【００１９】
サーフェスローラ２には、ガイドローラ６及び加圧ローラ７が圧接されている。織布８は、ガイドローラ６により案内された後、サーフェスローラ２の下方を周回し、サーフェスローラ２と加圧ローラ７との間に把持される。従って、織布８は、製織運転中、サーフェスローラ２の矢印方向の回転により引き取られ、加圧ローラ７を介して送り出される。
【００２０】
サーフェスローラ２の下方には、織布８を巻き取るクロスローラ９がフレーム１に回転可能に配設されている。クロスローラ９は、ウォームホイールボックス１０に収容されたウォームホイール１１、ウォームボックス１２に収容されたウォーム１３及びギヤボックス１４に収容されたギヤ群１５を介して織布巻取モータ１６に連結されている。従って、クロスローラ９は、織布巻取モータ１６が回転すると、ギヤ群１５、ウォーム１３及びウォームホイール１１により減速された状態で矢印方向に回転され、織布８を巻き取ることにより巻径が増大する。また、加圧ローラ７を経由して送り出された織布８は、ガイドローラ２４及びクロスローラ９に巻かれた織布８と接触する皺取りローラ２５を介して巻き取られる。なお、クロスローラ９の駆動機構には、ウォームホイールボックス１０に収容されたウォームホイール１１、ウォームボックス１２に収容されたウォーム１３に限らず、他の形式の減速機構を用いてもよい。
【００２１】
織布巻取モータ１６は、サーボモータあるいはトルクモータのようなトルク制御可能なモータにより構成され、主駆動モータから独立して駆動される。織布巻取モータ１６は、信号線１７により制御装置４と電気的に接続され、製織運転中、主駆動モータ及び織布引取モータ３と同期して回転されるが、主駆動モータ及び織布引取モータ３から独立した正逆転も可能である。また、織布巻取モータ１６は、制御装置４から発信される指令によりトルク制御され、織布８の巻取に伴いクロスローラ９の巻径が増加しても、織布８を設定された張力に維持することができる。
【００２２】
制御装置４はデータの記憶部１８とデータの演算機能及び信号の受発信機能を有する制御部１９を備え、また、ファンクションパネルからなる入力装置２０を備えている。入力装置２０は、各種データの表示画面、データの入力部、織布巻取モータの正逆転スイッチ、織機の起動、停止スイッチ（いずれも図示せず）等を備えている。
【００２３】
制御装置４の記憶部１８には、織機の回転数、緯糸密度、織布張力、サーフェスローラ２の径及びウォームホイール１１、ウォーム１３、ギヤ群１５の減速比等が入力装置２０から入力され、記憶されている。また、織布引取モータ３の回転数検出器（図示せず）から信号線５を介して制御装置４に入力された回転数、織布巻取モータ１６の回転数検出器１６Ａから信号線１７を介して制御装置４に入力された回転数及び織機の駆動モータの回転数検出器（図示せず）から得られた回転数が、検出データとして記憶部１８に記憶される。
【００２４】
また、記憶部１８には、次の各種プログラムが設定され、記憶されている。
（１）主駆動モータの回転数、緯糸密度、織布引取モータ３の回転数及びサーフェスローラ２とクロスローラ９との径の比からクロスローラ９における織布８の巻径を、制御部１９において算出するプログラム（巻径算出部）。
（２）織布張力及びクロスローラ９の巻径から織布８の巻取トルクを、制御部１９において算出するプログラム（巻取トルク算出部）。
（３）主駆動モータの回転数、緯糸密度、織布の巻径及び減速比から織布巻取モータ１６の定常回転数、即ちサーフェスローラ２から送り出される織布８を弛みなくクロスローラ９に巻き取るための織布巻取モータ１６の回転数を、制御部１９において算出するプログラム（定常回転数算出部）。
（４）予め設定された変更指令トルクとして、段階的に増加方向に漸次増加する漸増指令トルク２１（図２参照）を記憶し、制御装置４から織布巻取モータ１６に指令し、織布巻取モータ１６の駆動を制御するプログラム（変更指令トルク発信部）。なお、漸増指令トルク２１は、時間間隔Ｔ毎に一定の増加トルクＵ（図２参照）で漸次増加するように設定されている。
（５）漸増指令トルク２１の段階的な変更過程における織布巻取モータ１６の検出回転数と定常回転数とを比較するプログラム（比較部）。
（６）織布巻取モータ１６の検出回転数と定常回転数との一致により、織布巻取モータ１６の回転数変化が終了した時、回転数変動領域ＦＴ（図２参照）から回転数安定領域ＳＴ（図２参照）へ移行する時の境界領域ＦＴＢ（図２参照）での漸増指令トルク２１Ｃ（図２参照）に基づき負荷トルクを算出するプログラム（負荷トルク算出部）。
（７）巻取トルクに負荷トルクを加えて巻取制御トルクを算出し、巻取制御トルクを織布巻取モータ１６に指令するプログラム（巻取制御トルク指令部）。
【００２５】
織機の織布巻取制御について以下に説明する。織布の切卸し作業あるいは機替え作業が行われると、新しく装着したクロスローラ９に織布８の端部を巻付け、織機の運転が開始される。この運転開始時において、図２に示すように、制御装置４は、記憶部１８に記憶されたプログラムにより、設定された漸増指令トルク２１に基づく指令を織布巻取モータ１６に発信する。
【００２６】
織布巻取モータ１６は停止状態なので、織布８がサーフェスローラ２により送り出されて、加圧ローラ７とクロスローラ９の間で織布８が弛み、これにより織布８の張力が零となる。制御装置４が漸増指令トルク２１Ａを織布巻取モータ１６へ指令すると、織布巻取モータ１６の回転数が急激に増加し（Ｒ１参照）、クロスローラ９が織布８を巻き取る。しかし、負荷トルク、特に皺取りローラ２５の摩擦抵抗による負荷トルクが漸増指令トルク２１Ａを上回り、織布巻取モータ１６は停止する。時間間隔Ｔが経過すると、制御装置４は漸増指令トルク２１Ａから増加トルクＵだけ増加した漸増指令トルク２１Ｂを織布巻取モータ１６に指令する。織布巻取モータ１６の回転数が再び急激に増加し（Ｒ２参照）、織布８を巻き取るが、皺取りローラ２５の摩擦抵抗による負荷トルクが漸増指令トルク２１Ｂを上回り、織布巻取モータ１６は再び停止する。
【００２７】
さらに、時間間隔Ｔが経過すると、織布巻取モータ１６には、漸増指令トルク２１Ｂから増加トルクＵだけ増加した漸増指令トルク２１Ｃが制御装置４から指令される。このため、織布巻取モータ１６の回転数が再度急激に増加し（Ｒ３参照）、織布８を巻き取るが、織布巻取モータ１６の回転数は回転数Ｒ３付近で急激に変動する。この時の回転数Ｒ３は前記した定常回転数よりも大きい。続いて、時間間隔Ｔの経過後、織布巻取モータ１６は、漸増指令トルク２１Ｃから増加トルクＵだけ増加した漸増指令トルク２１Ｄを受けるが、漸増指令トルク２１Ｄによる駆動力では、織布巻取モータ１６の回転数の急激な増加、減少が生じなくなり、定常回転数Ｒ４に収束する。
【００２８】
以後、織布巻取モータ１６は、漸増指令トルク２１が増加しても定常回転数Ｒ４が維持される。従って、織布巻取モータ１６では、漸増指令トルク２１Ａ〜２１Ｃ間の回転数変動領域ＦＴと漸増指令トルク２１Ｄ以降の回転数安定領域ＳＴが生じる。回転数変動領域ＦＴにおいて、漸増指令トルク２１Ａ〜２１Ｂが、負荷トルク、特に皺取りローラ２５の摩擦抵抗による負荷トルクを下回ることにより、織布巻取モータ１６の回転は停止する。一方、漸増指令トルク２１Ｃでは、停止はしないものの織布巻取モータ１６は、回転数が定常回転数Ｒ４よりも大きな回転数で激しく変動する。この時の回転数が定常回転数Ｒ４よりも大きな回転数となるのは、緩んだ状態の織布８を巻き取っているためである。また、回転数が激しく変動するのは、負荷トルクと漸増指令トルク２１Ｃとが近似しているので、微小時間でトルクの増減制御を繰り返すためである。
【００２９】
これに対し、回転数安定領域ＳＴでは、漸増指令トルク２１Ｄが織布８の張力による巻取トルク及び負荷トルクの合計を上回った状態にあり、織布巻取モータ１６は、サーフェスローラ２から送り出される織布８の速度に合せてクロスローラ９を安定状態で回転していることを示している。従って、回転数変動領域ＦＴの中で、漸増指令トルク２１Ｃにおいて回転数が変動する領域は、回転数変動領域ＦＴから回転数安定領域ＳＴに移行する境界領域ＦＴＢを示している。制御装置４では、プログラムに基づき、織布巻取モータ１６の定常回転数Ｒ４を算出し、漸増指令トルク２１Ｄを指令した時、織布巻取モータ１６の回転数検出器１６Ａから送信される検出回転数と算出した定常回転数Ｒ４とを比較する。
【００３０】
制御装置４は、回転数検出器１６Ａによる検出回転数が定常回転数Ｒ４に収束し、安定した時、織布巻取モータ１６の回転数変化が終了したと判断する。また、制御装置４は、織布巻取モータ１６の回転数が回転数変動領域ＦＴから回転数安定領域ＳＴへ移行する境界領域ＦＴＢでの漸増指令トルク２１Ｃに基づき、織布巻取モータ１６を制御するための負荷トルクを算出する。本実施形態では、漸増指令トルク２１Ｃの値が負荷トルクとして算出される。負荷トルクの算出に関するプログラム（負荷トルク算出部）は制御装置４の記憶部１８に設定されている。
【００３１】
負荷トルク（漸増指令トルク２１Ｃ）が算出されると、制御装置４は、プログラム（巻取制御トルク指令部）により、算出された巻取トルクに負荷トルクを加えて巻取制御トルクを算出し、巻取制御トルクを織布巻取モータ１６に指令する。織布巻取モータ１６は、制御装置４から指令される巻取制御トルクによりトルク制御され、クロスローラ９を駆動して織布８を設定された張力で順次巻き取る。
【００３２】
なお、第１の実施形態において、織機の運転に先立ち、織布巻取モータ１６を一定量逆転し、その後、織機の運転を開始して段階的に漸次増加する漸増指令トルク２１を織布巻取モータ１６に指令することが好ましい。織布巻取モータ１６を逆転することにより、織布８の張力を完全に零とすることができ、織布８の張力状態を考慮すること無く、漸増指令トルク２１を設定することができ、どのような織機においても負荷トルクを正確に算出することができる。
【００３３】
また、負荷トルクは、クロスローラ９における織布８の巻径の変化により変動するため、定期的あるいはランダムに、クロスローラ９の巻径に基づき負荷トルクを算出し、得られた負荷トルクを巻取制御トルクの算出に使用することが好ましい。
【００３４】
第１の実施形態では、織布巻取装置に生じる負荷トルクは、時間間隔Ｔ毎に漸次増加する形態で指令される漸増指令トルク２１における織布巻取モータ１６の回転数の変化に基づき簡単に算出することができる。算出された負荷トルクを巻取制御トルクの算出に使用し、織布巻取モータ１６を制御するため、織布巻取装置における巻取制御を高精度に行うことができる。
【００３５】
（第２の実施形態）
図３は第２の実施形態を示したもので、第１の実施形態と同一の構成については同一の符号を付し、詳細な説明を省略する。第２の実施形態は、第１の実施形態に加えて、織機の運転中において負荷トルクの算出を行う巻取制御方法に関する。織機の運転開始後、織布の巻取中に、何らかの原因により大きな負荷トルクが織布巻取モータ１６に掛かり、織布巻取モータが停止する場合がある。
【００３６】
図３において、織布巻取モータ１６は、制御装置４から指令された巻取制御トルクＣＴで駆動されている時、大きな負荷トルクが生じることにより、回転数が低下し、停止する（Ｒ５参照）。なお、このときサーフェスローラ２の回転は継続しているので、サーフェスローラ２とクロスローラ９との間の織布８には弛みが生じる。制御装置４は、増加トルクＵをそれまでの巻取制御トルクＣＴに加えた漸増指令トルク２１Ｅを織布巻取モータ１６に指令する。織布巻取モータ１６は、緩んだ状態の織布８を巻き取るので、回転数が急速に増加し（Ｒ６参照）、かつ、負荷トルクと漸増指令トルク２１Ｅとが近似しているので、回転数が急激に変動し、回転数変動領域ＦＴが生じる。
【００３７】
時間間隔Ｔの経過後、漸増指令トルク２１Ｅから増加トルクＵだけ増加した漸増指令トルク２１Ｆを指令することにより、織布巻取モータ１６の回転数が定常回転数Ｒ７となって安定し、回転数安定領域ＳＴが生じる。また、漸増指令トルク２１Ｅにおいて回転数が変動する領域は、回転数変動領域ＦＴから回転数安定領域ＳＴに移行する境界領域ＦＴＢを生成する。従って、制御装置４は、回転数変動領域ＦＴから回転数安定領域ＳＴに移行する境界領域ＦＴＢでの漸増指令トルク２１Ｅに基づいて負荷トルクを算出する。なお、負荷トルクの算出は、第１の実施形態と同一の方法により行われる。制御装置４は、算出した負荷トルクを算出されている巻取トルクに加えて新たな巻取制御トルクを算出し、この巻取制御トルクを織布巻取モータ１６に指令してトルク制御を行う。なお、本実施形態では、回転数変動領域ＦＴは漸増指令トルク２１の１ステップ分しか記載していないが、回転数変動領域ＦＴ内で織布巻取モータ１６が停止する場合は、第１の実施形態と同様に複数の漸増ステップが実行される。
【００３８】
第２の実施形態は、織機の運転後、織布８の巻取中において負荷トルクを簡単に算出することができ、第１の実施形態と同様の作用効果を得ることができる。
【００３９】
（第３の実施形態）
図４は第３の実施形態を示したもので、織布巻取制御装置の機械的な構造及び巻取制御の機能の一部は、第１の実施形態と同一であり、第１の実施形態と同一の構成については同一の符号を付し、詳細な説明を省略する。第３の実施形態は、第１の実施形態における増加方向に漸次変更する変更指令トルクに代えて、減少方向に漸次変更する変更指令トルクを採用したものである。織機の運転開始から運転終了までの間における負荷トルクは、織布８がクロスローラ９に順次巻き付けられ、織布８の巻径が増加するため、一定でなく、変動する。例えば、クロスローラ９に巻かれた織布８と接触している皺取りローラ２５は、織布８の巻径の増加に伴い、織布８との接触抵抗が変わり、皺取りローラ２５による負荷トルクが変化する。
【００４０】
このため、織機の運転開始時に算出した負荷トルクを基にした巻取制御トルクにより織布８の巻き取りを行っていると、例えば、負荷トルクが増加傾向にあると、織布８の張力が減少し、負荷トルクが減少傾向にあると織布８の張力が増大する恐れがある。いずれにしても、織布８の巻取時の張力が設定張力から外れる傾向となり、織布８の品質を向上させることができない。第３の実施形態は、織機の運転開始から運転終了までの間に、例えば、織布８の巻径が一定量増加する毎、あるいは緯入れ不良や経糸切れによる織機停止後の再起動時毎に、負荷トルクを算出する方法を提示し、巻取制御トルクを常に最適状態に設定している。
【００４１】
図４は、第３の実施形態における基本的な考え方を示した指令トルクとモータ回転数との線図である。また、第３の実施形態における制御装置４の記憶部１８には、第１の実施形態に示した各種プログラム（１）〜（７）のうち、（４）〜（６）のプログラムが次の内容で記憶され、他のプログラムは第１の実施形態と同一の内容で記憶されている。
（４）予め設定された変更指令トルクとして、漸次減少する漸減指令トルク２６を記憶し、制御装置４から織布巻取モータ１６に指令し、織布巻取モータ１６の駆動を制御するプログラム（変更指令トルク発信部）。なお、漸減指令トルク２６は、時間間隔Ｔ毎に一定の減少トルクＤで漸次減少するように設定されている。
（５）漸減指令トルク２６の変更過程における織布巻取モータ１６の検出回転数が零（停止状態）か否かを比較するプログラム（比較部）。
（６）織布巻取モータ１６の停止により、織布巻取モータ１６の回転数変化が終了した時、回転数変動領域ＦＴから回転数安定領域ＳＴへ移行する時の境界領域ＦＴＢでの漸減指令トルク２６Ａに基づき負荷トルクを算出するプログラム（負荷トルク算出部）。
【００４２】
図４において、織機の運転中、自由に選択された時間Ｔ１になると、制御装置４は、時間間隔Ｔ毎に減少トルクＤだけ段階的に漸次減少させた漸減指令トルク２６を織布巻取モータ１６に指令する。制御装置４からは、漸次減少する漸減指令トルク２６が漸減指令トルク２６Ａ、漸減指令トルク２６Ｂ、漸減指令トルク２６Ｃの順に指令される。漸減指令トルク２６Ｃが指令されると、織布巻取モータ１６は、定常回転数Ｒ９から回転数Ｒ１０のように、高回転数と低回転数との間を大きく変動した後、時間Ｔ２において回転数Ｒ１１で示すように、回転数が零となって停止する。漸減指令トルク２６Ｃにおける回転数の大きな変動は、負荷トルクと漸減指令トルク２６Ｃとが近似するため、第１の実施形態と同様に、微小時間でトルクの増減制御を繰り返すことにより生じる。
【００４３】
従って、織布巻取モータ１６では、漸減指令トルク２６Ａ、２６Ｂにおける回転数安定領域ＳＴと漸減指令トルク２６Ｃにおける回転数変動領域ＦＴとが生じる。また、回転数変動領域ＦＴには、回転数安定領域ＳＴから回転数変動領域ＦＴに移行する境界領域ＦＴＢが内在する。境界領域ＦＴＢでは、漸減指令トルク２６Ｃが負荷トルクを下回ることにより、織布巻取モータ１６の回転が回転数Ｒ１１のように停止する。制御装置４では、漸減指令トルク２６を指令した時間Ｔ１後の織布巻取モータ１６の回転数を回転数検出器１６Ａにより検出し、プログラム（比較部）により、漸減指令トルク２６の変更過程における検出回転数が零（停止状態）か否かを比較する。
【００４４】
制御装置４は、回転数検出器１６Ａによる検出回転数が零となり、織布巻取モータ１６が停止した時、織布巻取モータ１６の回転数変化が終了したと判断する。また、制御装置４は、織布巻取モータ１６の回転数が回転数安定領域ＳＴから回転数変動領域ＦＴへ移行する境界領域ＦＴＢでの漸減指令トルク２６Ｃに基づき、織布巻取モータ１６を制御するための負荷トルクを算出する。本実施形態では、漸減指令トルク２６Ｃの値が負荷トルクとして算出される。
【００４５】
負荷トルク（漸減指令トルク２６Ｃ）が算出されると、制御装置４は、プログラム（巻取制御トルク指令部）により、算出された巻取トルクに負荷トルクを加えて巻取制御トルクを算出し、巻取制御トルクを織布巻取モータ１６に指令する。織布巻取モータ１６は、制御装置４から指令される巻取制御トルクによりトルク制御され、クロスローラ９を駆動して織布８を設定された張力で順次巻き取る。
【００４６】
第３の実施形態の具体例として、図５を用いて、織機の運転中、負荷トルクＬＴ１が減少傾向にある場合の負荷トルクの算出方法を説明する。予め設定された変更指令トルクは、予め設定されている織布８の設定張力及び負荷トルクを含むもので、減少方向に漸次変更する漸減指令トルク２７を使用している。漸減指令トルク２７は、直線的に減少するように設定されているが、図４の実施形態と同様に、減少方向に段階的に変化するように設定しても構わない。なお、漸減指令トルク２７と比較するために、一定に設定された運転中の巻取制御トルクＣＴを点線で示している。
【００４７】
織機の運転中の自由に選択された時間Ｔ１、例えば、織布８の巻径が設定値に達した時、制御装置４は、予め設定された漸減指令トルク２７を織布巻取モータ１６に指令する。漸減指令トルク２７の指令後、時間Ｔ２時点の減少した漸減指令トルク２７Ａが、時間Ｔ２での織布８の設定張力ＴＳ１及び減少中の負荷トルクＬＴ２を合わせたトルクと同一になるため、織布巻取モータ１６は、図４に示した境界領域ＦＴＢにおいて、回転数が零となって停止し、織布巻取モータ１６の回転数変化が終了する。
【００４８】
制御装置４は、回転数検出器１６Ａによる検出回転数が零になった時、織布巻取モータ１６の回転数変化が終了したと判断し、回転数安定領域ＳＴから回転数変動領域ＦＴへ移行する境界領域ＦＴＢでの漸減指令トルク２６Ａに基づいて、織布巻取モータ１６を制御するために必要な負荷トルクＬＴ２を算出する。本実施形態では、漸減指令トルク２７Ａの値を負荷トルクＬＴ２として算出する。なお、算出した負荷トルクＬＴ２は、漸減指令トルク２７Ａから織布８の設定張力ＴＳ１を除いた値である。
【００４９】
負荷トルクＬＴ２が算出されると、制御装置４は、巻取制御トルク指令部のプログラムにより算出された巻取トルクに負荷トルクＬＴ２を加えて新たに巻取制御トルクを算出し、算出した巻取制御トルクを織布巻取モータ１６に指令する。織布巻取モータ１６は、制御装置４から指令される新しい巻取制御トルクにより制御され、クロスローラ９を駆動して織布８の巻き取りを再開する。従って、第３の実施形態では、新たに算出された巻取制御トルクは、これまで高めに設定されていた従来の巻取制御トルクＣＴから余分な負荷トルクＬＴ３を除いた適切な値に修正されて織布８の巻き取りを行うため、織布８の張力を高めること無く、高精度に制御することができる。
【００５０】
第３の実施形態の他の具体例として、図６を用いて、織機の運転中、負荷トルクＬＴ４が増加する方向に変化している場合の負荷トルクの算出方法を説明する。例えば、自由に選択された時間Ｔ１として、織布８の巻径が設定値に達すると、制御装置４は、予め設定された漸減指令トルク２８を織布巻取モータ１６に指令する。時間Ｔ２時点の漸減指令トルク２８Ａが、時間Ｔ２での織布８の設定張力ＴＳ２及び増加中の負荷トルクＬＴ５を合わせたトルクと同一になるため、織布巻取モータ１６は、図４に示した境界領域ＦＴＢにおいて、回転数が零となって停止し、織布巻取モータ１６の回転数変化が終了する。
【００５１】
制御装置４は、回転数検出器１６Ａによる検出回転数が零になった時、織布巻取モータ１６の回転数変化が終了したと判断し、回転数安定領域ＳＴから回転数変動領域ＦＴへ移行する境界領域ＦＴＢでの漸減指令トルク２８Ａに基づいて、負荷トルクＬＴ５を算出する。なお、算出した負荷トルクＬＴ５は、漸減指令トルク２７Ａから織布８の設定張力ＴＳ２を除いた値である。算出された負荷トルクＬＴ５は、図５の具体例と同様に、巻取制御トルクの算出に使用される。新たに算出された巻取制御トルクは、従来の巻取制御トルクＣＴから余分な負荷トルクＬＴ６を除いた適切な値に修正されて織布８の巻き取りを行うため、織布８の巻取制御を高精度に行うことができる。
【００５２】
図５及び図６の具体例を含めた第３の実施形態では、織布巻取装置に生じる負荷トルクが減少方向あるいは増加方向に変動する場合であっても、漸次減少する漸減指令トルク２６、２７、２８における織布巻取モータ１６の回転数の変化に基づき負荷トルクを簡単に算出することができる。算出された負荷トルクを巻取制御トルクの算出に使用し、織布巻取モータ１６を制御するため、織布巻取装置における巻取制御を高精度に行うことができる。
【００５３】
本願発明は、前記した各実施形態の構成に限定されるものではなく、本願発明の趣旨の範囲内で種々の変更が可能であり、次のように実施することができる。
【００５４】
（１）図７に示すように、第１及び第２の実施形態における段階的に漸次増加する漸増指令トルク２１（仮想線参照）は、時間間隔Ｔ毎に、増加トルクＵ１、Ｕ２、Ｕ３で変化するトルク漸増線Ｌ１、Ｌ２、Ｌ３を連続させた漸増指令トルク２２の構成に置き換えて実施することが可能である。
（２）図８に示すように、第１及び第２の実施形態における段階的に漸次増加する漸増指令トルク２１（仮想線参照）は、曲線的に連続して増加する漸増指令トルク２３の構成に置き換えて実施することが可能である。
【００５５】
（３）第３の実施形態の漸減指令トルク２６〜２８は、図９に示すように、時間間隔Ｔ毎に、減少トルクＤ１、Ｄ２、Ｄ３で変化するトルク漸減線Ｌ４、Ｌ５、Ｌ６を連続させた漸減指令トルク２９の構成に置き換えて実施することが可能である。
（４）第３の実施形態の漸減指令トルク２６〜２８は、図１０に示すように、曲線的に連続して減少する漸減指令トルク３０の構成に置き換えて実施することが可能である。
【００５６】
（５）第１の実施形態における漸増指令トルク２１は、増加トルクＵ及び時間間隔Ｔを一定とするのでなく、例えば、漸増指令トルク２１Ａ、２１Ｂを指令するとき、織布巻取モータ１６の停止が確認されたら、時間間隔Ｔを待たずに次のステップに移ってもよい。
（６）漸増指令トルク２１〜２３、漸減指令トルク２６〜３０及び漸増指令トルク２１〜２３、漸減指令トルク２６〜３０で駆動する織布巻取モータ１６の回転数と算出した負荷トルクを、入力装置２０の表示画面に表示するように構成しても良い。
（７）第１の実施形態において、織布巻取モータ１６の検出回転数と定常回転数との比較をする代わりに、漸増指令トルク２１を増加させても織布巻取モータ１６の検出回転数が変化しないことをもって、織布巻取モータ１６の回転数が安定したと判断してもよい。
【符号の説明】
【００５７】
４  制御装置
８  織布
９  クロスローラ
１６  織布巻取モータ
１８  記憶部
１９  制御部
２０  入力装置
２１、２１Ａ〜２１Ｄ、２１Ｅ、２１Ｆ  漸増指令トルク（変更指令トルク）
２６、２６Ａ、２６Ｂ、２６Ｃ、２７、２７Ａ、２８、２８Ａ、２９，３０  漸減指令トルク（変更指令トルク）
ＣＴ  巻取制御トルク
Ｄ、Ｄ１〜Ｄ３  減少トルク
ＦＴ  回転数変動領域
Ｌ１〜Ｌ３  トルク漸増線
Ｌ４〜Ｌ６  トルク漸減線
ＬＴ１〜ＬＴ６  負荷トルク
Ｒ１〜Ｒ３、Ｒ５、Ｒ６、Ｒ８  回転数
Ｒ４、Ｒ７、Ｒ９  定常回転数
ＳＴ  回転数安定領域
Ｔ  時間間隔
Ｔ１、Ｔ２  時間
ＴＳ１、ＴＳ２  織布の設定張力
Ｕ、Ｕ１〜Ｕ３  増加トルク
【図１】
0006011580.tif 000002
【図２】
0006011580.tif 000003
【図３】
0006011580.tif 000004
【図４】
0006011580.tif 000005
【図５】
0006011580.tif 000006
【図６】
0006011580.tif 000007
【図７】
0006011580.tif 000008
【図８】
0006011580.tif 000009
【図９】
0006011580.tif 000010
【図１０】
0006011580.tif 000011